(57)【要約】      （修正有）【課題】製造が容易であり、フレーム部分に相当する箇所には装飾用の印刷が簡単に行うことができ、写真などを任意の箇所に簡単に貼付けることができ、貼付けた状態での写真などを確実に保護できる写真保護および装飾用シールを提供する。【解決手段】写真保護および装飾用シールが透明な第１フィルム１と透明な第２フィルム２とからなり、前記第１フィルムは片面の周縁部に印刷層１１を有する共に、反対側の面に透明な粘着剤層を有し、第２フィルムは粘着剤層に貼着されており且つ切込み２１により周縁部２２と保護部２３とに区画され、第２フィルムの周縁部は使用時に第１フィルムより剥され、保護部は前記第１フィルムに貼着したままである。【選択図】図１
0003130284.tif 000002
【実用新案登録請求の範囲】
【請求項１】
透明な第１フィルムと透明な第２フィルムとからなり、前記第１フィルムは片面の周縁部に印刷層を有する共に、反対側の面に透明な粘着剤層を有し、前記第２フィルムは該粘着剤層に貼着されており且つ切込みにより周縁部と保護部とに区画され、前記第２フィルムの周縁部は使用時に前記第１フィルムより剥され、前記保護部は前記第１フィルムに貼着したままであることを特徴とする写真保護および装飾用シール。
【請求項２】
第１フィルムと第２フィルムが実質的に同一の大きさおよび形状であることを特徴とする請求項１記載の写真保護および装飾用シール。
【請求項３】
第２フィルムの一部分が第１フィルムの輪郭から突出しており、第２フィルムの前記切込みが第１フィルムの輪郭の内側に位置していることを特徴とする請求項１記載の写真保護および装飾用シール。
【請求項４】
前記第１フィルムおよび第２フィルムが無色透明であることを特徴とする請求項１〜請求項３の何れか１項に記載の写真保護および装飾用シール。
【請求項５】
前記第１フィルムまたは第２フィルムが色付き透明であることを特徴とする請求項１〜請求項３の何れか１項に記載の写真保護および装飾用シール。
【考案の詳細な説明】
【技術分野】
【０００１】
本考案は写真などを任意の物品に貼付けるための写真保護および装飾用シールに関するものである。
【背景技術】
【０００２】
従来、写真をアルバムに貼るときはアルバムの台紙に糊が線状に設けられており、それに写真を貼付け、その上から薄いフィルムで覆うようにしたものが多い。このようなものでは単に写真が貼ってあるだけで面白味がない。
【０００３】
写真の回りを縁取りしたりするために、例えば、特許文献１（特開２００１−１０２６５号公報）には、板状の発泡体に四角な孔を穿ち、台紙とその板状発泡体の間に写真を挟み込むことにより写真にフレームを付けた状態とすることが提案されている。
【０００４】
特許文献２（登録実用新案第３０４０６６５号公報）には、写真装飾用シールが開示されており、この写真装飾用シールでは剥離紙に貼着された粘着剤付きシートを環状の分離溝により窓枠片とマスコット片とに分断し、使用するときに真中のマスコット片を取除き、このマスコット片は別に図柄などを書いておくことにより別の箇所に貼付け、フレームとなる窓枠片により写真などを台紙に固定することが提案されている。
【０００５】
特許文献３（登録実用新案第３０４７５９６号公報）には、印画紙の裏面に粘着面を形成し、剥離紙で被覆し、これにデジタル的に撮った写真を焼付け、これにデジタル的に形成されている飾り縁をデジタル画像処理により合成した飾り縁付きフォトシールシートが提案されている。
【０００６】
特許文献４（特開２００５−２７４７７８号公報）には、任意の外形形状を有し且つ任意の透孔を設けたシール本体の裏面に粘着剤を塗布し、透孔部分に透明なフィルムを貼付けて、透孔を塞ぎ、粘着剤面に離型紙を貼着した粘着シールが提案されている。
【特許文献１】特開２００１−１０２６５号公報
【特許文献２】登録実用新案第３０４０６６５号公報
【特許文献３】登録実用新案第３０４７５９６号公報
【特許文献４】特開２００５−２７４７７８号公報
【考案の開示】
【考案が解決しようとする課題】
【０００７】
前述したような各種の写真のフレームの形成の仕方には種々の問題がある。例えば、特許文献１に開示されているアルバムの台紙においては、単に四角な穴が開いているだけであり、装飾的な価値が極めて低い。また、このようなものではアルバムとしてはよいが、任意の貼付け対象物（或いは対象箇所）に写真等を貼付けることができない。
【０００８】
また、特許文献２のものでは、窓枠片の内側に位置するマスコット片は貼付けるときに取除かれるので、窓枠片により貼付けた写真は外部に晒されたままであり、保護することができないという問題がある。
【０００９】
特許文献３に開示されているものは、自動撮影装置とシール作製装置を組合わせて撮影した写真をその場で加工している所謂プリクラ（登録商標）と同様なものであり、このものは写真と図柄が一体的なものとして作成されるものである。従って、既存の写真などをそのまま任意の箇所に貼着したりすることには適していないものである。
【００１０】
また、特許文献４のものは写真用飾りフレームと写真を保護するフィルムとからなる粘着シールであり、写真などの保護と任意の箇所に貼付けられるという利点はある。しかし、このようなものを製造する場合は、透孔を穿ってフレームとなるシール本体を製造し、そして透孔の箇所にフィルムを置き、更に透孔に合わせた大きさの離型紙を貼ることになる。従って、このようなものを実際に製造しようとすると、１つ１つ手作業になる状態でしか製造することができない。また、例えば粘着剤が塗布されているシール本体と離型シートとを貼合せたシートに打抜きにより透孔を形成したとしても、透孔を塞ぐためのフィルムを貼るためには離型紙を一旦剥がしてからでないと貼ることができない。このような手間の掛る作業があるため簡単に製造することができず、特許文献４の粘着シールは製造コストが掛かり、高価なものになってしまうという問題がある。
【００１１】
本考案は、このような従来の粘着シールなどの問題点に鑑みて、製造が容易であり、フレーム部分に相当する箇所には装飾用の印刷が簡単に行うことができ、写真などを任意の箇所に簡単に貼付けることができ、貼付けた状態での写真などを確実に保護できる写真保護および装飾用シールを提供することを目的とするものである。
【課題を解決するための手段】
【００１２】
本考案は、透明な第１フィルムと透明な第２フィルムとからなり、前記第１フィルムは片面の周縁部に印刷層を有する共に、反対側の面に透明な粘着剤層を有し、前記第２フィルムは該粘着剤層に貼着されており且つ切込みにより周縁部と保護部とに区画され、前記第２フィルムの周縁部は使用時に前記第１フィルムより剥され、前記保護部は前記第１フィルムに貼着したままであることを特徴とする写真保護および装飾用シールにより、前記目的を達成した。
【００１３】
前記第１フィルムと第２フィルムが実質的に同一の大きさおよび形状であってもよいし、或いは第１フィルムよりも第２フィルムの方が大きく、第２フィルムの一部分が第１フィルムの輪郭から突出しており、第２フィルムの前記切込みが第１フィルムの輪郭の内側に位置している状態であってもよい。
【００１４】
前記第１フィルムおよび第２フィルムが無色透明であってもよいし、或いは色付き透明であってもよい。
【考案の効果】
【００１５】
本考案の写真保護および装飾用シールは製造が容易であり、手作業などが不要であり、製造コストを安価とすることができる。
【００１６】
本考案の装飾用シールは、フィルムに最初に印刷をしておくことができるので、どのような色合い・模様のフレーム、或いはどのような形状のフレームをも製作することができ、ビジュアル上の制限がない。
【００１７】
また、本考案の装飾用シールは、写真の表面を透明フィルムで覆うので長期間保存しても写真が汚れたりしない。しかも、写真の表面には粘着剤が直接接触しないので、写真に粘着剤が付着せず、本考案の装飾用シールを剥がして写真を取り出せば、写真は綺麗なままの状態である。
【考案を実施するための最良の形態】
【００１８】
以下、図面に示した実施例に基いて本考案を詳細に説明する。図１（ａ）は本考案の写真保護および装飾用シールの第１実施例の表側を示す平面図であり、図１（ｂ）は図１（ａ）の裏側を示す平面図である。図２は図１（ａ）のII−II線に沿った断面図であり、図３は本考案のシールを用いて写真を貼るときの状態を示す側面図である。なお、図において本考案のシールの厚みは拡大して描いている。
【００１９】
図１および図２に示すように、本考案のシールは第１フィルム１および第２フィルム２とからなるものである。第１フィルム１および第２フィルム２は何れも透明なフィルムであり、材質は特に限定されないが、ポリエステルフィルムであると透明性が高いので好ましい。第１フィルム１および第２フィルム２は無色透明でもよいし、薄い色を着色した状態の色付き透明フィルムでもよい。
【００２０】
第１フィルム１の片面（裏面）には透明な粘着剤層１２が設けられており、反対側の面（表面）には装飾用フレームを形成する印刷層１１が設けられている。印刷層１１は第１フィルムの周縁部に、図示した実施例では額縁状に、設けられているものであり、印刷層１１以外の中央部分１３は透明な部分として残し、後で写真を貼ったときに写真が見える窓部１３となる。印刷層１１により周縁部を完全に着色していてもよいし、或いは図や絵、文字等を印刷した状態のものでもよい。また、窓部１３の形状は四角形でもよいし、楕円形、ハート型、その他適宜な形状とすることができる。なお、第１フィルムの輪郭も四角形に限られず、円形、楕円形、ハート型、その他適宜な形状とすることができる。
【００２１】
この実施例では第２フィルム２は第１フィルム１と実質的に同一の大きさおよび形状であり、その片面に好ましくは剥離剤が塗布されており、この剥離剤が塗布された面が第１フィルムの粘着剤層１２に貼着する面となっている。
【００２２】
第２フィルム２は閉ループを描く切込み２１により周縁部２２と保護部２３に区画されている。切込み２１は図２に示すように、第２フィルム２のみに設けられているものであり第１フィルム１にまでは達していない。
【００２３】
保護部２３は貼るべき写真などの表面に第１フィルムの粘着剤１２が付着しないように保護するものである。そのため、貼着すべき写真と同等或いはそれよりも大きい方が好ましい。従って、切込み２１の形状は一般的には四角形が好ましいが、これに限定されるものではない。
【００２４】
前述した実施例の装飾用シールは、片面に透明な粘着剤層を設けた透明フィルム（第１フィルム）と剥離剤が塗布されている透明なフィルム（第２フィルム）とを貼合せた状態の大きなシートから打抜きにより簡単に形成することができる。すなわち、先ず第１フィルム１の表面に写真のフレームとなるように適宜な色合い・模様・図柄などの印刷を施す。次に、第２フィルム２の側から図１（ｂ）および図２に示すように、第１フィルム１および第２フィルム２の輪郭の打抜きと、第２フィルム２のみの切込み２１の形成とを同時にトムソン刃などにより行うことができる。これにより本考案のシールを作製できるので極めて製造工程が簡単であり、容易である。この場合、大きなシートの状態で印刷できるので、印刷に制約がなく、任意の模様や図柄に印刷することができ、大きさも種々なものとすることができる。
【００２５】
本考案の装飾用シールを用いて消費者が写真を貼るときには、先ず第２フィルム２の周縁部２２を剥がす。このようにすると、第１フィルム１の粘着剤層１２が現われるので、写真３を貼着すべき物体４の上に置き、その上から本考案のシールを貼付ければよい。第１フィルム１、粘着剤層１２および第２フィルム２が透明であるので、窓部１３から写真を見ることができ、写真の周囲には印刷層１１によるフレーム状の装飾が施されている。
【００２６】
なお、本考案のシールによって貼着できるものは写真だけではなく、比較的凹凸のない平坦なものであれば、例えば、押し花や図柄が描かれているものなど何でも、貼付けたい箇所に置き、保護部２３がその上を覆うようにして第１フィルム１の周縁部を押圧することにより貼付けることができる。貼付ける箇所は所謂台紙などに限られず、比較的平坦なプラスチックの表面や二次元的にカーブした表面など、どのような箇所でもよい。また、本考案のシールは、大きさおよび形状を任意のものとすることができるので、大きなものから小さなものまで、例えば、ノートパソコンに貼付けたり、バッグや手帳に貼付けたりと、任意な箇所に貼付けることができる。
【００２７】
図４（ａ）は本考案の別の実施例の表側を示す平面図、図４（ｂ）はその裏側の平面図である。図５は図４（ａ）のＶ−Ｖ線に沿った断面図である。
【００２８】
この実施例が第１実施例と異なっている点は、第２フィルム２が第１フィルム１よりも少なくとも一部分が大きく第１フィルムの輪郭の外側に突出２４していることである。その他の点では第１実施例と同じである。
【００２９】
この実施例においては、第２フィルム２の切込み２１は第１フィルム１の輪郭よりも内側になるように位置している。この第２実施例のシールは、第２フィルム２が第１フィルム１よりも外側に突出している部分２４が設けられているので、消費者が使用する際には突出部２４を掴んで簡単に第２フィルム２の周縁部２１を剥離することができる。
【００３０】
第２実施例のシールを製作する場合には、片面に粘着剤層を設けた透明フィルム（第１フィルム）と剥離剤が塗布されている透明なフィルム（第２フィルム）とを貼合せた状態の大きなシートを用意する。そして、第１実施例と同様に、先ず第１フィルムの表面に写真のフレームとなる部分１１を印刷する。第１フィルム１の輪郭に沿って切込みを入れる。次に、シートをひっくり返した状態で、すなわち、第２フィルムの側から切込みを入れる。この場合、第２フィルムの輪郭となる切込みは好ましくは第２フィルムだけをカットし或いは第１フィルムに達しても完全には切断しないでハーフカット状態とする。他方、第２フィルムの切込み２１は第２フィルム２のみをカットするようにトムソン刃により切込みを入れる。そして、大きなシートからこの本考案の装飾用シールを剥がすと、図５に示したような形状のものを製作することができる。
【図面の簡単な説明】
【００３１】
【図１】図１（ａ）は本考案の写真保護および装飾用シールの第１実施例の表側を示す平面図であり、図１（ｂ）は図１（ａ）の裏側を示す平面図である。
【図２】図１（ａ）のII−II線に沿った断面図である。
【図３】本考案のシールを用いて写真を貼るときの状態を示す側面図である。
【図４】図４（ａ）は本考案の別の実施例の表側を示す平面図、図４（ｂ）はその裏側の平面図である。
【図５】図４（ａ）のＶ−Ｖ線に沿った断面図である。
【符号の説明】
【００３２】
１  第１フィルム
２  第２フィルム
１１  印刷層
１２  粘着剤層
１３  窓部
２１  第２フィルムに形成した切込み
２２  周縁部
２３  保護部
２４  突出部
【図１】
0003130284.tif 000003
【図２】
0003130284.tif 000004
【図３】
0003130284.tif 000005
【図４】
0003130284.tif 000006
【図５】
0003130284.tif 000007